(57)【要約】【課題】椅子に座ったまま容易に足踏み運動ができる運動器具を提供する。【解決手段】足踏み板（１）の下面中央部に支点部（２）を備えたことを特徴とするものである。【選択図】図１
2017221462.tif 000002
【特許請求の範囲】
【請求項１】
足踏み板（１）の下面に、支点部（２）を備えた、シーソー式足踏み器。
【請求項２】
足踏み板（１）の下面中央部に、前方から後方にかけて、面に対して垂直方向に出っ張った支点部（２）を備えた、シーソー式足踏み器。
【請求項３】
足踏み板（１）の下面中央部に、前方から後方に向かい一列に複数以上の突起状支点部（３）備えた、シーソー式足踏み器。
【請求項４】
足踏み板（１）の下面中心部に、一つの突起状支点部（３）を備えた、シーソー式足踏み器。
【請求項５】
足踏み板（１）の下面中央部に、車輪型支点部（１２）を備えた、シーソー式足踏み器。
【請求項６】
足踏み板（１）の下面中心部に、球型のローラー支点部（１３）を備えた、シーソー式足踏み器。
【請求項７】
楕円状足踏み板（４）の下面中心部に、突起状支点部（３）を備えた、シーソー式足踏み器。
【請求項８】
円状足踏み板（５）の下面中心部に、突起状支点部（３）を備えた、シーソー式足踏み器。
【請求項９】
足踏み板（１）の上面が、前後方向にアーチ状になっている、請求項１〜６のいずれかのシーソー式足踏み器。
【請求項１０】
足踏み棒（１５）の中央部に膨らみ状の支点部（１６）を備えた、シーソー式足踏み器。
【請求項１１】
足踏み棒（１５）の中央部に、足踏み棒（１５）に直交する板状の支点部（２）を備えたシーソー式足踏み器。
【請求項１２】
足踏み棒（１５）の中央部に、足踏み棒（１５）を車軸としたを車輪型支点部（１２）を備えた、シーソー式足踏み器。
【請求項１３】
足踏み棒（１５）の中央部に、突起状支点部（３）を複数以上備えた、シーソー式足踏み器。
【発明の詳細な説明】
【技術分野】
【０００１】
本発明は、椅子に座っている時に足を置いた板や棒などをシーソーのように上下させることで、手軽に足踏み運動ができる健康器具に関するものである。
【背景技術】
【０００２】
近年、長時間椅子に座っていると健康に悪いという研究結果が発表された。１日に６時間座っていると死のリスクが４０％増大するとのことであるが、オフィスでのデスクワークや乗り物での移動時など、現代社会において長時間座ることが避けられない場合が少なくない。
【発明の概要】
【発明が解決しようとする課題】
【０００３】
本発明は、座っている時に手軽に運動できる、運動器具に関するものである。
【課題を解決するための手段】
【０００４】
上記目的を達成するために、本発明において請求項１に係るものは、足踏み板（１）の下面に支点部（２）を備え、足踏み板（１）の左右をシーソーのように交互に上下させるものである。
【０００５】
請求項２に係るものは、足踏み板（１）の左右をシーソーのように交互に上下ささせるため、足踏み板（１）の下面中央部に、前方から後方にかけて、面に対して垂直方向に出っ張った支点部（２）を備えたものである。
【０００６】
請求項３に係るものは、足踏み板（１）の左右をシーソーのように交互に上下ささせるため、足踏み板（１）の下面中央部に、前方から後方に向かい一列に複数以上の突起状支点部（３）備えたものである。
【０００７】
請求項４に係るものは、足踏み板（１）を左右だけではなく、全周囲に対して傾けることを可能にするため、足踏み板（１）の下面中心部に、一つの突起状支点部（３）を備えたものである。
【０００８】
請求項５に係るものは、足踏み板（１）の下面の中央部に車輪型支点部（１２）を備え、床に対してスライドを容易にしたものである。シーソー運動だけでなく前後のスライド運動も可能になる。
【０００９】
請求項６に係るものは、足踏み板（１）の下面の中心部に球型のローラー支点部（１３）を備え、床に対してスライドを容易にしたものである。シーソー運動だけでなく前後左右のスライド運動も可能になる。
【００１０】
請求項７に係るものは、足踏み板（１）を左右だけではなく、全周囲に対してなめらかに傾けることを可能にするため、足踏み板を楕円状足踏み板（４）にして、その下面中心部に、突起状支点部（３）を備えたものである。
【００１１】
請求項８に係るものは、足踏み板（１）を左右だけではなく、全周囲に対してなめらかに傾けることを可能にするため、足踏み板を円状足踏み板（５）にして、その下面中心部に、突起状支点部（３）を備えたものである。
【００１２】
請求項９に係るものは、請求項１〜６のいずれかに係るものにおいて、強度を持たせるため、足踏み板（１）の上面が、前後方向にアーチ状になっているものである。前後方向の定義は足踏み器を使用する際に人に対する配置を基準にしたものである。
【００１３】
請求項１０に係るものは、足踏み棒（１５）の中央部に膨らみ状の支点部（１６）を備えたものである。球状の支点部であれば転がすことができる。
【００１４】
請求項１１に係るものは、足踏み棒（１５）の中央部に足踏み棒（１５）に直交する板状の支点部（２）を備えたものである。板の形状を円盤状にすれば転がすこともできる。
【００１５】
請求項１２に係るものは、足踏み棒（１５）の中央部に、足踏み棒（１５）を車軸とした車輪型支点部（１２）を備えたものである。車輪を支点部にすることでより転がりやすくしたものである。
【００１６】
請求項１３に係るものは、足踏み棒（１５）の中央部に、突起状支点部（３）を複数以上備えたものである。
【図面の簡単な説明】
【００１７】
【図１】発明を実施するための形態を示す斜視図である。
【図２】発明を実施するための形態を示す断面図である。
【図３】発明を実施するための形態を示す断面図である。
【図４】発明を実施するための形態を示す断面の拡大図である。
【図５】発明を実施するための形態の使用例を示した図である。
【図６】実施例１を示す斜視図である。
【図７】実施例２を示す斜視図である。
【図８】実施例３を示す下面図である。
【図９】実施例３を示す断面図である。
【図１０】実施例４を示す下面図である。
【図１１】実施例４を示す断面図である。
【図１２】実施例５を示す下面図である。
【図１３】実施例５を示す横方向の断面図である。
【図１４】実施例５を示す縦方向の断面図である。
【図１５】実施例６を示す下方向からの斜視図である。
【図１６】実施例７を示す下方向からの斜視図である。
【図１７】実施例８を示す斜視図である。
【図１８】実施例９を示す斜視図である。
【図１９】実施例１０を示す下方向からの斜視図である。
【発明を実施するための形態】
【００１８】
本発明を実施するための形態を図１〜４に基づいて説明する。足踏み板（１）の上面は前方から後方に向かいアーチ状になっており、上面にはすべり止め用の突起（６）が多数備えられている。足踏み板（１）の下中央部には、半円柱状の支点部（２）が備えられ、足踏み板（１）の左右がシーソー運動できる構造になっている。また、足踏み板（１）が傾いて床（７）に接触した場合、角ではなく面で接触するように、足踏み板（１）の左右端の下面には図４で示すように上反角（８）が備えられている。これにより床に接触した時の音を抑えることができる。
【００１９】
実施するための形態の使用例を図５に基づいて説明する。人（９）が椅子（１０）に腰かけて両足をシーソー式足踏み器（１１）に乗せて交互に足を上下運動させる。片方の足を踏み下ろせば、自然にもう片方の足が上がるので、座りながら楽に運動できる。立って使用するのは器具の破損を招く他、バランスを崩し転倒する恐れがあるので推奨しない。
【実施例】
【００２０】
実施例１を図６を基に説明する。足踏み板（１）の下面中央部に支点部（２）を設けただけの最も単純な形態の一つである。
【００２１】
実施例２を図７を基に説明する。図６の足踏み板の上面をアーチ構造にしたものである。アーチ構造にすることにより、足踏み板（１）の強度を確保する。
【００２２】
実施例３を図８、図９を基に説明する。足踏み板を楕円状にし、支点部も突起状にすることで、左右のシーソー運動だけでなく、回転運動も可能となる。図８は下面図、図９は断面図である。
【００２３】
実施例４を図１０、図１１を基に説明する。足踏み板を円状にすることで、回転運動をより滑らかにすることができる。図１０は下面図、図１１は断面図である。
【００２４】
実施例５を図１２〜１４を基に説明する。下面中央部に突起状支点部（３）を前後方向に二つ設けたものである。より少ない材料で実施例１と同様の機能を得ることができる。図１２は下面図、図１３は横断面図、図１４は縦断面図である。
【００２５】
実施例６を図１５を基に説明する。足踏み板（１）の下面中央部に車輪型支点部（２）を前後に二つ設けたものである。これによりシーソー運動だけではなく、前後方向にスライド運動することが可能になる。
【００２６】
実施例７を図１６を基に説明する。楕円状足踏み板（４）の下面中央部に、球状の物体を台座（１４）にはめ込んだ球型のローラー支点部（１３）を設けたものである。これにより、シーソー運動だけではなく前後左右にスライド運動も可能になる。
【００２７】
実施例８を図１７を基に説明する。足踏み棒（１５）の中央部に膨らみ状支点部（１６）を備えたもので、棒に足をのせ膨らみを支点にしてシーソー運動を行う。中央の膨らみは球状もしくは円盤状であれば前後方向にスライド運動も可能になる。また、足踏み棒（１５）と膨らみ状支点部（１６）を分解組み立てできるようにすると持ち運びが楽になる。
【００２８】
実施例９を図１８を基に説明する。足踏み棒（１５）の中央部に、足踏み棒（１５）を車軸としたを車輪型支点部（１２）を備えたものである。シーソー運動の他に前後方向にスライド運動も可能になる。
【００２９】
実施例１０を図１９を基に説明する。足踏み棒（１５）の中央部に、突起状支点部（３）を備えたものである。突起状支点部（３）を支点に左右のシーソー運動が可能である。
【符号の説明】
【００３０】
１  足踏み板
２  支点部
３  突起状支点部
４  楕円状足踏み板
５  円状足踏み板
６  突起
７  床
８  上反角
９  人
１０  椅子  
１１  シーソー式足踏み器  
１２  車輪型支点部
１３  ローラー支点部
１４  台座
１５  足踏み棒
１６  膨らみ状支点部
【図１】
2017221462.tif 000003
【図２】
2017221462.tif 000004
【図３】
2017221462.tif 000005
【図４】
2017221462.tif 000006
【図５】
2017221462.tif 000007
【図６】
2017221462.tif 000008
【図７】
2017221462.tif 000009
【図８】
2017221462.tif 000010
【図９】
2017221462.tif 000011
【図１０】
2017221462.tif 000012
【図１１】
2017221462.tif 000013
【図１２】
2017221462.tif 000014
【図１３】
2017221462.tif 000015
【図１４】
2017221462.tif 000016
【図１５】
2017221462.tif 000017
【図１６】
2017221462.tif 000018
【図１７】
2017221462.tif 000019
【図１８】
2017221462.tif 000020
【図１９】
2017221462.tif 000021